(57)【要約】【課題】書き換え時間を低減するとともに、高い表示品位を維持可能であり、消費電力量が低減した電気泳動表示装置及び電気泳動表示装置の駆動方法を提供する。【解決手段】一対の基板と、表示媒体と、駆動手段と、表示制御部と、を有する表示装置において、前記表示制御部は、反転パルスと極性が同じであり、かつ書き込みパルスの合計時間よりも印加時間が短く、単一極性である第１の明度改善パルスを、前記反転パルスと前記書き込みパルスとの間に、前記表示媒体に印加するように前記駆動手段を制御し、前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加するように前記駆動手段を制御する。【選択図】図６
2020187170.tif 000002
【特許請求の範囲】
【請求項１】
一方の面にそれぞれ電極を有する一対の基板と、
前記一対の基板の電極を有する面の間に配置され、内部に少なくとも白色、黒色の帯電粒子が封入され、前記帯電粒子の移動によって表示を行う表示媒体と、
前記表示媒体に電圧を印加する駆動手段と、
前記表示媒体の表示を制御する表示制御部と、
を有する表示装置であって、
最終的な表示色を得るために前記表示媒体に印加される、単一極性の電圧を書き込みパルスとし、前記書き込みパルスと極性が逆であり、かつ単一極性であり、前記書き込みパルスより前に前記表示媒体に印加される電圧を反転パルスとした際に、
前記表示制御部は、
前記反転パルスと極性が同じであり、かつ前記書き込みパルスの合計時間よりも印加時間が短く、単一極性である第１の明度改善パルスを、前記反転パルスと前記書き込みパルスとの間に、前記表示媒体に印加するように前記駆動手段を制御し、
前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加するように前記駆動手段を制御することを特徴とする表示装置。
【請求項２】
前記表示装置は、少なくとも２色を表示することが可能であり、
前記表示制御部は、第１色を表示する際の書き込みパルスと、第２色を表示する際の第１の明度改善パルスとを、同時に前記表示媒体に印加するように前記駆動手段を制御することを特徴とする、請求項１に記載の表示装置。
【請求項３】
前記表示装置は、少なくとも２色を表示することが可能であり、
前記表示制御部は、第１色を表示する際の反転パルスと、第２色を表示する際の第２の明度改善パルスとを、同時に前記表示媒体に印加するように前記駆動手段を制御することを特徴とする、請求項１に記載の表示装置。
【請求項４】
前記表示装置は、少なくとも２色を表示することが可能であり、
前記表示制御部は、第１色を表示する際の第１の明度改善パルスと、第２色を表示する際の第２の明度改善パルスとを、同時に前記表示媒体に印加するように前記駆動手段を制御することを特徴とする、請求項１に記載の表示装置。
【請求項５】
前記表示装置は、少なくとも２色を表示することが可能であり、
前記表示制御部は、第１色を表示する際の反転パルスと、第２色を表示する際の書き込みパルスとを、同時に前記表示媒体に印加するように前記駆動手段を制御することを特徴とする、請求項１に記載の表示装置。
【請求項６】
前記第１の明度改善パルスおよび前記第２の明度改善パルスの各々において、一度の単一パルスの印加時間が１ミリ秒以上１００ミリ秒以下であることを特徴とする、請求項１〜５のいずれか１項に記載の表示装置。
【請求項７】
前記表示制御部は、前記第１の明度改善パルスおよび前記第２の明度改善パルスの一方または両方を、複数回、前記表示媒体に印加するように前記駆動手段を制御することを特徴とする、請求項１〜６のいずれか１項に記載の表示装置。
【請求項８】
前記表示装置は、無線給電部をさらに有し、無線給電により表示を書き換えることができるバッテリレス型表示装置であることを特徴とする請求項１〜７のいずれか１項に記載の表示装置。
【請求項９】
一方の面にそれぞれ電極を有する一対の基板と、前記一対の基板の電極を有する面の間に配置され、内部に少なくとも白色、黒色の帯電粒子が封入され、前記帯電粒子の移動によって表示を行う表示媒体と、前記表示媒体に電圧を印加する駆動手段とを有する表示装置において、
最終的な表示色を得るために前記表示媒体に印加される、単一極性の電圧を書き込みパルスとし、前記書き込みパルスと極性が逆であり、かつ単一極性であり、前記書き込みパルスより前に前記表示媒体に印加される電圧を反転パルスとした際に、
前記反転パルスと極性が同じであり、かつ前記書き込みパルスの合計時間よりも印加時間が短く、単一極性である第１の明度改善パルスを、前記反転パルスと前記書き込みパルスとの間に、前記表示媒体に印加し、
前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加することを特徴とする表示装置の駆動方法。
【発明の詳細な説明】
【技術分野】
【０００１】
本発明は、表示装置及び表示装置の駆動方法に関する。より詳しくは、帯電粒子の移動によって表示を行いメモリー性を有する表示パネルを備えた、低消費電力の電気泳動表示装置及び電気泳動表示装置の駆動方法に関する。
【背景技術】
【０００２】
従来から薄型の表示装置としては、液晶表示装置が各種の電子機器に広く使用されており、近年ではコンピュータやテレビジョン等の大型カラーディスプレイとしても使用されている。また、テレビジョンの大型カラーディスプレイとしては、プラズマディスプレイも使用されている。しかし、液晶表示装置やプラズマディスプレイはＣＲＴ表示装置に比べれば格段に薄型になったとはいえ、まだ用途によっては充分に薄くはなく、曲げることもできない。また、携帯機器のディスプレイとして使用する場合には、消費電力の更なる低減が望まれている。
【０００３】
そこで、更なる薄型化と低消費電力化を実現する表示装置として、電気泳動表示素子を用いた電子ペーパーと称される表示パネルが開発されており、電子ブックや電子新聞、電子広告看板や案内表示板などへの利用が試されている。この電気泳動表示素子を用いた表示パネル（表示装置）では、２つの面にそれぞれ電極を有する一対の基板間に帯電粒子が封入された画像表示層が設けられ、その一対の基板の電極間に印加される電圧の極性に応じて帯電粒子が電気泳動により移動することにより表示を行う。
【０００４】
この電気泳動表示パネルは、電極間に印加される電圧を取り去っても、帯電粒子が移動しないのでメモリー性を有しており、電力を消費せずに表示状態を保つことができる。この電気泳動表示パネルは、極めて僅かな電力で駆動することができるので、低消費電力を必要とする用途として今後有望である。また、反射型の表示装置であるため、ブルーライトが発生せず目に優しい、屋外など明るい場所でも見やすいなどの利点がある。
【０００５】
他方、物流での在庫や製品管理などに近年、ＲＦＩＤ（Ｒａｄｉｏ  Ｆｒｅｑｕｅｎｃｙ  Ｉｄｅｎｔｉｆｉｃａｔｉｏｎ）が用いられている。ＲＦ（Ｒａｄｉｏ  Ｆｒｅｑｕｅｎｃｙ：無線）で情報を追加したり、書き換えたりすることができるため、印刷されたバーコードや２次元コードよりも、利便性が高く、用途が広がっている。その中でも、表示機能付きＲＦＩＤ（無線タグ）は、ＲＦＩＤの情報を書き換え・追記できるとともに、その表示を変化させることができるため、ＲＦリーダーライターが無くとも、利用者が目視で情報を確認することができるという利点がある。そのため、消費電力が極めて少ない電気泳動表示パネルを用いた、表示機能付きＲＦＩＤの開発が進められている。
【０００６】
表示機能付きＲＦＩＤは無線の電力で表示を切り替えるため、もともと消費電力の少ない電気泳動表示パネルにおいても、書き換え距離の増加や、パネルサイズの大型化を目指すために、さらなる低消費電力化が求められている。
また、電気泳動表示パネルは、帯電粒子の移動によって表示が切り替わるため、液晶等の表示装置に比べて、書き換え時間が長いという特徴があり、書き換え時間の短縮も求められている。
さらに、表示装置であるため、視認性への要望が強く、コントラストが高い（白表示時の明度が高く、黒表示時の明度が低い）ことも要求されている。
すなわち、消費電力を低く抑えたままで、書き換え時間の短縮と表示特性の向上が求められている。
【０００７】
一方で、特許文献１、２では、電気泳動表示装置において、共通電極電位を変更することで、電気泳動層に掛かる電圧を実質２倍にする方法が開示されている。
また、特許文献３の電気泳動表示装置では、温度補正のために、単純なパルスの印加電圧を変更している。
【先行技術文献】
【特許文献】
【０００８】
【特許文献１】特許第４３７０７６２号公報
【特許文献２】特許第４７７２７５３号公報
【特許文献３】特許第５３７８２２５号公報
【発明の概要】
【発明が解決しようとする課題】
【０００９】
特許文献１、２の電気泳動表示装置では、実効的な印加電圧が２倍になり、書き換え時間の短縮に繋がると考えられるが、印加電圧が高くなるため、消費電力が増加してしまう。
特許文献３の電気泳動表示装置では、印加電圧を変更しているだけであるので、効率的に表示特性を改善しているとは言えず、電圧を高くした際には消費電力が増加してしまう。
【００１０】
本発明は、このような状況に鑑みてなされたもので、書き換え時間を低減するとともに、高い表示品位を維持可能であり、消費電力量が低減した電気泳動表示装置及び電気泳動表示装置の駆動方法を提供することを目的とする。
【課題を解決するための手段】
【００１１】
上記課題を解決するために、本発明の１態様は、一方の面にそれぞれ電極を有する一対の基板と、前記一対の基板の電極を有する面の間に配置され、内部に少なくとも白色、黒色の帯電粒子が封入され、前記帯電粒子の移動によって表示を行う表示媒体と、前記表示媒体に電圧を印加する駆動手段と、前記表示媒体の表示を制御する表示制御部と、を有する表示装置であって、最終的な表示色を得るために前記表示媒体に印加される、単一極性の電圧を書き込みパルスとし、前記書き込みパルスと極性が逆であり、かつ単一極性であり、前記書き込みパルスより前に前記表示媒体に印加される電圧を反転パルスとした際に、前記表示制御部は、前記反転パルスと極性が同じであり、かつ前記書き込みパルスの合計時間よりも印加時間が短く、単一極性である第１の明度改善パルスを、前記反転パルスと前記書き込みパルスとの間に、前記表示媒体に印加するように前記駆動手段を制御し、前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加するように前記駆動手段を制御することを特徴とする表示装置である。
【００１２】
前記表示装置は、少なくとも２色を表示することが可能であり、前記表示制御部は、第１色を表示する際の書き込みパルスと、第２色を表示する際の第１の明度改善パルスとを、同時に前記表示媒体に印加するように前記駆動手段を制御してもよい。
前記表示装置は、少なくとも２色を表示することが可能であり、前記表示制御部は、第１色を表示する際の反転パルスと、第２色を表示する際の第２の明度改善パルスとを、同時に前記表示媒体に印加するように前記駆動手段を制御してもよい。
前記表示装置は、少なくとも２色を表示することが可能であり、前記表示制御部は、第１色を表示する際の第１の明度改善パルスと、第２色を表示する際の第２の明度改善パルスとを、同時に前記表示媒体に印加するように前記駆動手段を制御してもよい。
前記表示装置は、少なくとも２色を表示することが可能であり、前記表示制御部は、第１色を表示する際の反転パルスと、第２色を表示する際の書き込みパルスとを、同時に前記表示媒体に印加するように前記駆動手段を制御してもよい。
【００１３】
前記第１の明度改善パルスおよび前記第２の明度改善パルスの各々において、一度の単一パルスの印加時間が１ミリ秒以上１００ミリ秒以下であってもよい。
前記表示制御部は、前記第１の明度改善パルスおよび前記第２の明度改善パルスの一方または両方を、複数回、前記表示媒体に印加するように前記駆動手段を制御してもよい。
前記表示装置は、無線給電部をさらに有し、無線給電により表示を書き換えてもよい。
【００１４】
本発明の１態様は、一方の面にそれぞれ電極を有する一対の基板と、前記一対の基板の電極を有する面の間に配置され、内部に少なくとも白色、黒色の帯電粒子が封入され、前記帯電粒子の移動によって表示を行う表示媒体と、前記表示媒体に電圧を印加する駆動手段とを有する表示装置において、最終的な表示色を得るために前記表示媒体に印加される、単一極性の電圧を書き込みパルスとし、前記書き込みパルスと極性が逆であり、かつ単一極性であり、前記書き込みパルスより前に前記表示媒体に印加される電圧を反転パルスとした際に、前記反転パルスと極性が同じであり、かつ前記書き込みパルスの合計時間よりも印加時間が短く、単一極性である第１の明度改善パルスを、前記反転パルスと前記書き込みパルスとの間に、前記表示媒体に印加し、前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加することを特徴とする表示装置の駆動方法である。
【発明の効果】
【００１５】
本発明によれば、白色及び黒色を表示可能な電気泳動表示装置において、書き換え時間を低減するとともに、高い表示品位を維持可能であり、消費電力量が低減した電気泳動表示装置及び電気泳動表示装置の駆動方法を実現できる。
【図面の簡単な説明】
【００１６】
【図１】本発明の一実施形態に係る電気泳動表示装置の一例の平面図である。
【図２】本発明の一実施形態に係る画素の電気的な構成を示す等価回路図である。
【図３】本発明の一実施形態に係る電気泳動表示装置の一例の平面図である。
【図４】本発明の一実施形態に係る電気泳動表示装置の一例の表示部の断面図である。
【図５】本発明の一実施形態に係る電気泳動表示装置の一例の表示部の断面図である。
【図６】本発明の一実施形態に係る電気泳動表示装置の駆動波形である。
【図７】本発明の一実施形態に係る電気泳動表示装置の駆動波形である。
【図８】本発明の一実施形態に係る電気泳動表示装置の駆動波形である。
【図９】本発明の一実施形態に係る電気泳動表示装置の駆動波形である。
【図１０】本発明の一実施形態に係る電気泳動表示装置の駆動波形である。
【図１１】従来技術に係る電気泳動表示装置の駆動波形である。
【図１２】従来技術に係る電気泳動表示装置の駆動波形である。
【発明を実施するための形態】
【００１７】
ここで、本発明における前提条件を以下に示す。
駆動波形（波形）は、印加電圧の時間変化であり、より詳しくは、表示媒体３５に印加される電位差（電圧）をコントロールすることで、電気泳動装置に所望の画像を表示させている。
波形情報は、都度データ送信元から送られてくる場合もあるが、表示装置に予め保存されている場合もある。本発明では、後者の例で説明する。
また、波形は外部温度や湿度など条件や使用者の指定によって変更することができ、事前に複数種類の波形を準備することができる。
波形にはＤＣバランスという考え方があり、ある区間で、電圧×時間の総和が概ねゼロとなることを「ＤＣバランスを維持する」という。ＤＣバランスを維持した場合、維持しない場合と比べて、電子ペーパーの寿命が長くなり、表示特性が向上する。
また、画像を書き換える際に、これまでの画像を「前画像」、書き換えた後の画像を「次画像」と呼ぶこととする。また、波形としては、前画像を参照する場合と前画像を参照しない場合がある。画像としては、表示面全体を書き換える「全面書き換え」と表示面の一部を書き換える「部分書き換え」がある。
これらの結果として、前画像を参照しない波形の場合は、その波形内でＤＣバランスを維持し、前画像を参照する波形の場合は、前画像と組み合わせてＤＣバランスが維持されていることが一般的である。
なお、白黒２値表示において前画像を参照しない場合は、白を書く場合と黒を書く場合の２種類の波形要素が必要である。一方で、白黒２値表示において前画像を参照する場合は、白から白、黒から白、白から黒、黒から黒に書き換える４種類の波形要素が必要である。これら２種類または４種類の波形要素をまとめて波形と呼ぶ。また、階調表示の場合は、所望の階調数に合わせて、波形要素の数が増加する。また、本発明の実施形態に係る電気泳動表示装置の表示部２の具体的な構成については後述する。また、例えば白に対する黒、黒に対する白を逆色と呼ぶ。また、本発明の趣旨に直接関与しない部分は、適宜説明を省略する。以下は白色を表示させるための印加電圧が−、黒色を表示させるための印加電圧が＋の場合で説明する。
【００１８】
上記課題を解決するための本発明の実施形態の一様態は、一方の面にそれぞれ電極を有する一対の基板と、前記一対の基板の電極を有する面の間に配置され、内部に少なくとも白色、黒色の帯電粒子が封入され、前記帯電粒子の移動によって表示を行う表示媒体と、前記表示媒体に電圧を印加する駆動手段と、前記表示媒体の表示を制御する表示制御部と、を有する表示装置であって、最終的な表示色を得るために前記表示媒体に印加される、単一極性の電圧を書き込みパルスとし、前記書き込みパルスと極性が逆であり、かつ単一極性であり、前記書き込みパルスより前に前記表示媒体に印加される電圧を反転パルスとした際に、前記表示制御部は、前記反転パルスと極性が同じであり、かつ前記書き込みパルスの合計時間よりも印加時間が短く、単一極性である第１の明度改善パルスを、前記反転パルスと前記書き込みパルスとの間に、前記表示媒体に印加するように前記駆動手段を制御し、前記書き込みパルスと極性が同じであり、かつ前記反転パルスの合計時間よりも印加時間が短く、単一極性である第２の明度改善パルスを、前記反転パルスと前記第１の明度改善パルスとの間に、前記表示媒体に印加するように前記駆動手段を制御することを特徴とする表示装置である。
【００１９】
本発明の電気泳動装置では、最終的な表示色である次画像を表示させるにあたり、前記反転パルスと、前記書き込みパルスとの間に印加され、前記反転パルスと極性が同じであり、かつ前記反転パルスもしくは前記書き込みパルスの合計時間よりも印加時間が短く、単一極性である第１の明度改善パルスを印加することが要旨である。また、反転パルスと、前記第１の明度改善パルスとの間に印加され、前記書き込みパルスと極性が同じであり、かつ前記反転パルスの合計時間よりも印加時間が短く、単一極性である第２の明度改善パルスを印加することが要旨である。
ここで、最終的な表示色である次画像を書き込むための電圧を書き込みパルスＰｆとし、それとは別に、ＤＣバランスの維持や前画像の消去のために書き込む電圧を反転パルスＰｒとする。また、第１の明度改善パルスをＰｉ１、第２の明度改善パルスをＰｉ２とする。パルスは波形の一部であり、一般には、一区切りでの電圧印加をいうが、本発明では、一区切りでの電圧印加が複数ある場合も含めてパルスと称する。
図１１は、従来技術に係る電気泳動表示装置の一般的な駆動波形を示す。駆動波形の縦軸は印加される電圧であり、横軸は時間変化である。このように従来技術に係る電気泳動表示装置の一般的な駆動波形は、書き込みパルスＰｆと反転パルスＰｒだけで構成されている。図１１（ａ）は白表示部、すなわち次画面が白の場合を示し、＋電圧の反転パルスＰｒを印加したのち、−電圧の書き込みパルスＰｆを印加している。図１１（ｂ）は黒表示部、すなわち次画面が黒の場合を示し、−電圧の反転パルスＰｒを印加したのち、＋電圧の書き込みパルスＰｆを印加している。
【００２０】
一方、図６は、本発明の一実施形態に係る電気泳動表示装置の駆動波形の一例を示す。図６（ａ）は白表示部、すなわち次画面が白の場合を示し、図６（ｂ）は黒表示部、すなわち次画面が黒の場合を示す。図６に示すように、本発明の実施形態では、白表示部の駆動波形と黒表示部の駆動波形のそれぞれにおいて、反転パルスＰｒと書き込みパルスＰｆの間に、第１の明度改善パルスＰｉ１と第２の明度改善パルスＰｉ２が印加されている。
第１の明度改善パルスＰｉ１と第２の明度改善パルスＰｉ２を印加することで、その後の書き込みパルスＰｆにおける、明度変化が起こりやすくなる。すなわち、コントラストが改善し、残像（ゴースト）も低減する。これは、第１の明度改善パルスＰｉ１と第２の明度改善パルスＰｉ２とを印加することで電子ペーパー中の帯電粒子が動きやすくなるためと考えられる。第２の明度改善パルスＰｉ２は、反転パルスＰｒと極性が逆であり、印加時間が反転パルスＰｒの合計時間よりも短い単一パルスである。反転パルスＰｒと極性が異なることにより、反転パルスＰｒの印加によって、移動した帯電粒子を逆方向に動かすことができる。さらに、第２の明度改善パルスＰｉ２は反転パルスＰｒよりも印加時間が短いことにより、帯電粒子を移動させすぎることがない。表示される色としては、白と黒の間のグレーとなる。
一方で第１の明度改善パルスＰｉ１は、書き込みパルスＰｆと極性が逆であり、印加時間が書き込みパルスＰｆの合計時間よりも短い単一パルスである。書き込みパルスＰｆと極性が異なることにより、書き込みパルスＰｆの印加による帯電粒子の移動とは逆方向に、帯電粒子を動かしておくことが可能となる。その際に、第１の明度改善パルスＰｉ１は書き込みパルスＰｆよりも印加時間が短いことにより、帯電粒子を移動させすぎることがない。表示される色としては、白と黒の間のグレーとなる。
すなわち、第１の明度改善パルスＰｉ１もしくは第２の明度改善パルスＰｉ２を印加することで、第１色の帯電粒子と第２色の帯電粒子の両方を、表示面側から見て最前面（その色が表示される）や最背面（逆色の帯電粒子が表示される）ではなく、表示装置の中庸付近に移動させることができる。これにより、その後の書き込みパルスＰｆでの明度変化が速くなり、コントラストが改善する。また、表示装置の中庸付近に帯電粒子を集めることで、前画像により帯電粒子が偏在していた影響を低減して、ゴースト、にじみ等が改善される。
【００２１】
また、図７〜図１０は、本発明の一実施形態に係る電気泳動表示装置の駆動波形の別の例を示す。図７は、図６の白表示部の書き込みパルスＰｆと黒表示部の書き込みパルスＰｆを入れ替えた駆動波形の例である。このように、本発明の主旨の中で、様々に波形を変更することができる。
【００２２】
また、上記課題を解決するための本発明に係る実施形態の一様態は、少なくとも２色を表示することが可能な表示装置において、第１色を表示する際の書き込みパルスＰｆと、第２色を表示する際の第１の明度改善パルスＰｉ１とが同時に印加される表示装置である。
また、上記課題を解決するための本発明に係る実施形態の一様態は、少なくとも２色を表示することが可能な表示装置において、第１色を表示する際の反転パルスＰｒと、第２色を表示する際の第２の明度改善パルスＰｉ２とが同時に印加される表示装置である。
また、上記課題を解決するための本発明に係る実施形態の一様態は、少なくとも２色を表示することが可能な表示装置において、第１色を表示する際の第１の明度改善パルスＰｉ１と、第２色を表示する際の第２の明度改善パルスＰｉ２とが同時に印加される表示装置である。
また、上記課題を解決するための本発明に係る実施形態の一様態は、少なくとも２色を表示することが可能な表示装置において、第１色を表示する際の反転パルスＰｒと、第２色を表示する際の書き込みパルスＰｆとが同時に印加される表示装置である。
【００２３】
図６の例に示すように、第１色もしくは第２色の書き込みパルスＰｆと逆色の第１の明度改善パルスＰｉ１とが同時に印加される期間をＴｆ１とする。図６の場合は白表示部の書き込みパルスＰｆと黒表示部の第１の明度改善パルスＰｉ１とが同時に印加される。
また、同様に第１色もしくは第２色の反転パルスＰｒと逆色の第２の明度改善パルスＰｉ２とが同時に印加される期間をＴｒ２とする。図６の場合は白表示部の第２の明度改善パルスＰｉ２と黒表示部の反転パルスＰｒとが同時に印加される。
また、同様に第１色もしくは第２色の第１の明度改善パルスＰｉ１と逆色の第２の明度改善パルスＰｉ２とが同時に印加される期間をＴ１２とする。図６の場合は白表示部の第１の明度改善パルスＰｉ１と黒表示部の第２の明度改善パルスＰｉ２とが同時に印加される。
そして、図８の例に示すように、第１色もしくは第２色の反転パルスＰｒと逆色の書き込みパルスＰｆとが同時に印加される期間を、Ｔｆｒとする。図８の場合は白表示部の書き込みパルスＰｆと黒表示部の反転パルスＰｒとが同時に印加される。
【００２４】
実際に、表示を書き替える際の消費電力を測定したところ、例えば白黒２値表示の際に、図１１に示す従来技術の駆動波形の場合、白と黒を同時に書き込む時に消費電力が大きいことが分かった。図１１において、上段（ａ）は白に書き替える部分（白表示部）の駆動波形を示し、下段（ｂ）は、黒に書き替える部分（黒表示部）の駆動波形を示す。図１１に示すように、波形の前半では、白表示部の反転パルスＰｒと黒表示部の反転パルスＰｒとが同時に印加されており、波形の後半では、白表示部の書き込みパルスＰｆと黒表示部の書き込みパルスＰｆとが同時に印加されている。
簡便な対策としては、図１２に示す駆動波形のように、白表示部と黒表示部で時間をずらして印加する方法が考えられる。図１２では、白を書く部分（白表示部）の反転パルスＰｒ、黒を書く部分（黒表示部）の反転パルスＰｒ、白を書く部分（白表示部）の書き込みパルスＰｆ、黒を書く部分（黒表示部）の書き込みパルスＰｆの順で電圧が印加されている。各パルスが時間をずらして別々に印加されているため、消費電量は低かったが、書き換え時間は図１１の場合よりも増加してしまった。
これに対し、図６に示す本発明の一実施形態の場合、白表示部の第２の明度改善パルスＰｉ２と黒表示部の反転パルスＰｒとが同時に（期間Ｔｒ２で）印加されており、白表示部の第１の明度改善パルスＰｉ１と黒表示部の第２の明度改善パルスＰｉ２とが同時に（期間Ｔ１２で）印加されており、白表示部の書き込みパルスＰｆと黒表示部の第１の明度改善パルスＰｉ１とが同時に（期間Ｔｆ１で）印加されている。
図１１のように白と黒を同時に書き込む場合、すわなち、正電圧と負電圧を同時に印加する場合は、消費電力が非常に大きくなったが、図６に示したように、同時に印加される電圧が正負のどちらか一方のみ場合は、各電圧を順次印加する場合（図１２）と同様に消費電力は少なかった。
すなわち、図６に示す本発明の一実施形態では、同一極性の電圧を第１色表示部と第２色表示部で同時に印加することで、消費電力を大きくせずに、書き換え時間を短縮している。
【００２５】
また、図８に示すように、第１色表示部の書き込みパルスＰｆと第２色表示部の反転パルスＰｒが完全に一致せず、一部が同時に行われるなどしてもよい。
また、書き込みパルスＰｆが１つのパルスのみで構成される必要は無く、図６〜図１０に示すように、書き込みパルスＰｆが２つ以上のパルスで構成されていてもよい。特に、図９に示すように、書き込みパルスＰｆが複数のパルスに分割されていてもよい。本発明では、複数のパルスも含めてパルスと呼称している。また、図示は省略するが、同様の思想で、反転パルスＰｒ、第１の明度改善パルスＰｉ１、第２の明度改善パルスＰｉ２が複数パルスで構成されていてもよい。
例えば、図９に示したように書き込みパルスＰｆが複数のパルスに分割された場合、白表示部の駆動波形における書き込みパルスＰｆの電圧は、−Ｖｓ、０Ｖ、−Ｖｓ、０Ｖ、…となり、−Ｖｓと−Ｖｓ との間に０Ｖが挟まれている。鋭意検討した結果、書き込みパルスＰｆの合計時間が一緒の場合、一度に書き込みパルスＰｆを印加するよりも、間に０Ｖを挟みながら印加する方が、コントラストが向上することが分かった。すなわち、書き込みパルスＰｆを１パルスで印加するよりも、複数のパルスで印加した方が、コントラストが向上しやすい。図９では、白表示部の駆動波形、黒表示部の駆動波形の両方で書き込みパルスＰｆを分割し、各書き込みパルスＰｆの間に０Ｖ印加を挟んでいるため、白黒両方の明度が向上しやすい。また、図６、図７、図８、図１０の場合でも、駆動波形の一部で書き込みパルスＰｆが分割されて印加されているため、その部分のコントラストは向上する。但し、図１０では、後述するように階調を制御しているため、上述のコントラスト改善効果を踏まえたうえで、階調を制御することが望ましい。
【００２６】
上記課題を解決するための本発明に係る実施形態の一様態は、第１の明度改善パルスＰｉ１、第２の明度改善パルスＰｉ２のそれぞれにおいて、一度の単一パルスの印加時間が１ミリ秒以上、１００ミリ秒以下である表示装置である。
すでに示したように、第１の明度改善パルスＰｉ１および第２の明度改善パルスＰｉ２の印加は、帯電粒子を表示装置中で表示面側もしくは非表示面側に偏在させないことを目的としている。印加時間が長すぎると帯電粒子が大きく移動して、表示面側もしくは非表示面側に偏在してしまう。一方で、印加時間が短すぎると、帯電粒子を表示装置の中庸付近に位置させる効果が弱くなってしまう。そのため、第１の明度改善パルスＰｉ１、第２の明度改善パルスＰｉ２の一度の印加時間は、１ミリ秒以上で１００ミリ秒以下が好適であり、５ミリ秒以上５０ミリ秒以下がより好適である。
【００２７】
また、上記課題を解決するための本発明に係る実施形態の一様態は、第１の明度改善パルスＰｉ１、第２の明度改善パルスＰｉ２の片方もしくは両方を、複数回印加する表示装置である。第１の明度改善パルスＰｉ１、第２の明度改善パルスＰｉ２を複数回印加したり、第１の明度改善パルスＰｉ１、第２の明度改善パルスＰｉ２を交互に複数回印加したりした場合は、前述した表示媒体３５中で帯電粒子を表示装置の中庸付近に集める効果が働き、反転パルスＰｒなどの前状態により帯電粒子が偏在する現象を緩和する効果がさらに向上する。
【００２８】
上記課題を解決するための本発明に係る実施形態の一様態は、前記表示装置を用いたバッテリレス型表示装置である。本発明の電気泳動表示装置をバッテリレス型表示装置に使用する事で、電池を搭載しない無線給電でも安定的に、表示品位の高い表示を行うことが可能となる。
【００２９】
本発明の電気泳動表示装置は、電源（図示なし）を有していてもよい。また、本発明の電気泳動表示装置は、電源を有さず、代わりに無線給電部（図示なし）を有するバッテリレス型表示装置であってもよい。バッテリレス型表示装置の場合、無線給電で短時間に安定的に、表示を書き換えることができる。
【００３０】
図９は、書き込みパルスＰｆを１つのパルスでなく、複数のパルスで構成した例である。書き込みパルスＰｆを複数のパルスにすることにより、次画像への画像変化が緩やかになり、徐々にコントラストが向上していく。この画像の変化は、見る人によっては、画面の点滅が煩いと感じるかもしれないし、別の人には次画像が何であるかがすぐわかるので、分かりやすいと感じるかもしれない。
【００３１】
図１０は本発明の方法を用いて、階調表示した場合の例である。図１０は、白、ライトグレー、ダークグレー、黒の４階調の場合である。階調表示する場合でも、第１の明度改善パルスＰｉ１、第２の明度改善パルスＰｉ２を印加することで、その後の明度変化が速くなり、白と黒のコントラストが改善される。さらに、中間色である、ライトグレー、ダークグレーについても、第１の明度改善パルスＰｉ１、第２の明度改善パルスＰｉ２を印加することで、表示装置の中庸付近に帯電粒子が集まり、その後の明度が安定する。
【００３２】
これまでは特に明示することなく、任意の電圧が印加可能な場合の駆動波形を示していた。例えば、図１１は３値ドライバを想定しており、すなわち、同時に３種類の電圧を印加可能である。具体的には、印加電圧をＶｓとすると、＋Ｖｓ、０、−Ｖｓの３種類の電圧が印加可能である。
一方で、公知の２値ドライバで駆動する方法も存在する。この場合、共通電位Ｖｃｏｍとの組み合わせで、３値を作り出すことは可能であるが、同時に印加できるのは2値である。本発明の場合は正負の電圧を同時に印加する必要はないため、３値ドライバを用いず、２値ドライバのみで駆動することも可能である。さらに、公知の３値ドライバと共通電位Ｖｃｏｍとの組み合わせで、さらに多様な電圧を印加することも可能である。２値ドライバを利用した場合は、ドライバのコストが低減する、機構が単純になるため耐圧が高くなる、ドライバでの消費電力が低減するなどの効果が期待できる。
【００３３】
以下図面により本実施形態に係る電気泳動表示装置及びその駆動方法についてさらに詳細に説明する。なお、以下の実施形態では、本実施形態に係る電気泳動表示装置の一例として、アクティブマトリクス駆動方式の電気泳動表示装置を挙げて説明するが、セグメント方式等の構成を用いることもできる。
【００３４】
図１は、本実施形態に係る電気泳動表示装置の一例の表示部周辺の平面図である。図１において、本実施形態に係る電気泳動表示装置１は、アクティブマトリクス駆動方式の電気泳動表示装置であり、表示部２と、コントローラ１０と、走査線駆動回路（走査線ドライバ）６０と、データ線駆動回路（データ線ドライバ）７０とを備えている。コントローラ１０はフレキシブルケーブル１６を介して、表示部２と繋がっており、コントローラ１０は表示制御部１１、メモリー１２、電流・電圧制御部１３、通信制御部１４、アンテナ１５等を有している。アンテナ１５はリーダーライターから送信した無線電波を受け取り、通信制御部１４はデータ通信を行い、電流・電圧制御部１３はデータ通信や書き換えに伴う電圧・電流を制御する。また表示制御部１１はアンテナから受信したデータをもとに書き換えの制御を行う。なお、便宜的に各制御部を別々に表記しているが、搭載される集積回路の種類などに応じて、適宜統合・共有化等されていてもよい。
【００３５】
図２は、本実施形態に係る画素の電気的な構成を示す等価回路図である。図２において、画素２０は、画素スイッチング用トランジスタ２４と、画素電極２１と、対向電極２２と、表示媒体３５と、保持容量２７とを備えている。対向電極２２は共通電位線９０に接続されており、保持容量２７はキャパシタ電位線８０に接続されている。
【００３６】
図２はｉ行ｊ列目の画素２０の例を示す図である。表示部２には、ｍ行×ｎ列分の画素２０がマトリクス状（二次元平面的）に配列されており、ｍ本の走査線４０（Ｙ１、Ｙ２、…、Ｙｉ、…、Ｙｍ）と、ｎ本のデータ線５０（Ｘ１、Ｘ２、…、Ｘｊ、…、Ｘｎ）とが互いに交差するように設けられている。具体的には、ｍ本の走査線４０は、行方向（即ち、図６のＸ方向）にそれぞれ延在し、ｎ本のデータ線５０は、列方向（即ち、図６のＹ方向）にそれぞれ延在している。ｍ本の走査線４０とｎ本のデータ線５０との交差に対応して画素２０が配置されている。
【００３７】
コントローラ１０は、表示制御部１１、メモリー１２、電流・電圧制御部１３等を用いて、走査線駆動回路６０、データ線駆動回路７０の動作を制御する。コントローラ１０は、例えば、クロック信号、スタートパルス等のタイミング信号を各回路に供給する。
【００３８】
走査線駆動回路６０は、コントローラ１０による制御下で、所定のフレーム期間中に、走査線Ｙ１、Ｙ２、…、Ｙｍの各々に走査信号をパルス的に順次供給する。
【００３９】
データ線駆動回路７０は、コントローラ１０による制御下で、データ線Ｘ１、Ｘ２、…、Ｘｎにデータ電位を供給する。データ電位は、基準電位ＧＮＤ（例えば０Ｖ）、高電位Ｖ１（例えば＋１５Ｖ）又は低電位Ｖ２（例えば−１５Ｖ）などをとる。
【００４０】
コントローラ１０は、共通電位線９０に共通電位Ｖｃｏｍ（本実施形態では、ゲートフィードスルー電圧Ｖｇｆと同一の電位）を供給する。
【００４１】
コントローラ１０はメモリー１２を有するため、書き換え前の表示を記憶しておくことができる。本実施形態では、前画像と、次画像のデータを比較し、最適な駆動波形で書き換えを行うことができる。
【００４２】
画素スイッチング用トランジスタ２４は、例えばＮ型トランジスタで構成されているがＰ型でもよい。画素スイッチング用トランジスタ２４は、そのゲートが走査線４０に電気的に接続されており、そのソースがデータ線５０に電気的に接続されており、そのドレインが画素電極２１及び保持容量２７に電気的に接続されている。画素スイッチング用トランジスタ２４は、データ線駆動回路７０からデータ線５０を介して供給されるデータ電位を、走査線駆動回路６０から走査線４０を介してパルス的に供給される走査信号に応じたタイミングで、画素電極２１及び保持容量２７に出力する。
【００４３】
画素電極２１には、データ線駆動回路７０からデータ線５０及び画素スイッチング用トランジスタ２４を介して、データ電位が供給される。画素電極２１は、表示媒体３５を介して対向電極２２と互いに対向するように配置されている。
【００４４】
対向電極２２は、共通電位Ｖｃｏｍが供給される共通電位線９０に電気的に接続されている。
【００４５】
表示媒体３５は例えば、マイクロカップ２３に帯電粒子３０と表示溶媒３４とが充填され、シーリング材２５で封止された構成である。本実施形態ではマイクロカップ方式の表示装置の例を示しているが、マイクロカプセル式など別の方式の表示媒体３５を用いることもできる。帯電粒子３０は電界印加時のみ移動し、電界非印加時は移動せずその表示状態を維持する。すなわち表示のメモリー性を有する。
【００４６】
保持容量２７は、誘電体膜を介して対向配置された一対の電極からなり、一方の電極が、画素電極２１及び画素スイッチング用トランジスタ２４に電気的に接続され、他方の電極がキャパシタ電位線８０（一定電位）に電気的に接続されている。保持容量２７によってデータ電位を一定期間だけ維持することができる。
【００４７】
図３は、本実施形態に係る電気泳動表示装置の他の例の表示部周辺の平面図であり、セグメントタイプである点が図１に示す電気泳動表示装置１と異なる。図３に示すセグメントタイプの電気泳動表示装置１の場合、画素電極２１の形状と同じ表示が行われる。
【００４８】
図４は、セグメントタイプの電気泳動表示装置１の表示部２を横から見た配線イメージである。このように、対向電極２２と画素電極２１とによって表示媒体３５が挟持されている。書き換え電圧が各セグメントに分かれた画素電極２１に印加された場合に、表示色が変化する。
【００４９】
図２を参照しながら、本実施形態に係る電気泳動表示装置１の駆動方法を説明する。走査線駆動回路６０によって、ゲート配線に高電位ＶＧＨまたは低電位ＶＧＬが印加される。ＴＦＴがｎチャネルの場合、ＶＧＬが非選択電位であり、ＶＧＨが選択電位である。ＴＦＴがｐチャネルの場合、ＶＧＨが非選択電位であり、ＶＧＬが選択電位である。例えば、ＶＧＨ＝＋２０Ｖ、ＶＧＬ＝−２０Ｖである。同時に、データ線駆動回路７０によって、ソース配線にデータ電位として、第１電圧Ｖ１、第２電圧Ｖ２、または０Ｖが印加される。例えば、Ｖ１＝＋１５Ｖ、Ｖ２＝−１５Ｖである。印加されたデータ電位は、選択された１行のＴＦＴがオン状態となって、画素電極２１に書き込まれる。選択行とデータ電位を順々に変えることで、全画面の画素電極２１にデータ電位を書込む。これは線順次駆動と呼ばれる。ただし、書込まれた電位は、ゲート配線が非選択電位となりＴＦＴがオフ状態になる時にゲートフィードスルー電圧Ｖｇｆだけ変化する。即ち、Ｖ１、Ｖ２、０Ｖを書込まれた画素は、Ｖ１＋Ｖｇｆ、Ｖ２＋Ｖｇｆ、Ｖｇｆになる。Ｖｇｆは、下記式１で与えられる。ＴＦＴがｎチャネルの場合、Ｖｇｆは負であり、ＴＦＴがｐチャネルの場合、Ｖｇｆは正である。
Ｖｇｆ＝ΔＶｇ・Ｃｇｄ／（Ｃｓ＋Ｃｐ＋Ｃｇｄ）・・・式１
ただし、ΔＶｇはＴＦＴがオンからオフになる時のゲート電圧変化であり、ｎチャネルでは（ＶＧＬ−ＶＧＨ）、ｐチャネルでは（ＶＧＨ−ＶＧＬ）である。ＣｇｄはＴＦＴのゲート・ドレイン間容量、Ｃｓは画素電極に接続された蓄積容量、Ｃｐは表示媒体の容量成分である。対向電極２２の電位を所定値（ゲートフィードスルー電圧Ｖｇｆ）に合わせることで、画素電極２１及び対向電極２２間の電圧を、Ｖ１、Ｖ２、または０Ｖにすることができる。
【００５０】
薄膜トランジスタアレイを用いることによってドットマトリックスの表示を行うことができる。個々のドットマトリックスの画素に対して、第１電圧、第２電圧、または０Ｖを印加する複数のサブステップの組合せによる表示を行うことで、それぞれの画素に対して所望の表示を行うことができる。
【００５１】
次に、本実施形態に係る電気泳動表示装置の表示部の具体的な構成について、図５を参照して説明する。
【００５２】
上述したように、図５は、本実施形態に係る電気泳動表示装置１の表示部２の部分断面図である。図５において、画素２０は、基板２８と対向基板２９との間に表示媒体３５が挟持される構成となっている。
【００５３】
基板２８は、例えばガラスやプラスチック等からなる基板である。基板２８上には、ここでは図示を省略するが、図２を参照して前述した画素スイッチング用トランジスタ２４、保持容量２７、走査線４０、データ線５０、共通電位線９０等が作り込まれた積層構造が形成されている。この積層構造の上層側に複数の画素電極２１がマトリクス状に設けられている。
【００５４】
対向基板２９は、例えばガラスやプラスチック等からなる透明な基板である。対向基板２９における基板２８との対向面上には、対向電極２２が複数の画素電極２１と対向してベタ状に形成されている。対向電極２２は、例えばインジウム・スズ酸化物（ＩＴＯ）、インジウム・亜鉛酸化物（ＩＺＯ）等の透明導電材料から形成されている。
【００５５】
表示媒体３５は、マイクロカップ２３内部に、第１粒子である白粒子３１、第２粒子である黒粒子３２からなる帯電粒子３０を表示溶媒３４により分散させ、シーリング材２５で封止したものである。マイクロカップ２３は、例えば、熱硬化性樹脂や、ＵＶ硬化性樹脂などのプラスチック等から形成される。シーリング材２５は、例えば、熱硬化性樹脂や、ＵＶ硬化性樹脂などのプラスチック等から形成される。
【００５６】
表示溶媒３４としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒には、界面活性剤が配合されてもよい。
【００５７】
白粒子３１は、例えば、二酸化チタン、亜鉛華（酸化亜鉛）、三酸化アンチモン、酸化アルミ、酸化ジルコン、硫酸バリウム、硫酸鉛等の白色顔料からなる粒子（高分子或いはコロイド）が挙げられる。
【００５８】
黒粒子３２は、例えば、マンガンフェライトブラックスピネル、銅クロマイトブラックスピネルアニリンブラック、カーボンブラック等の黒色顔料からなる粒子（高分子或いはコロイド）が挙げられる。
【００５９】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【実施例】
【００６０】
以下に本発明の実施例を示すが、本発明はこれらに限定されるわけではない。以下の実施例及び比較例は、図１に示したアクティブマトリクスタイプ電気泳動表示装置１の例で示す。ＴＦＴアレイはｎチャネルとし、ゲート電圧を±２０Ｖ、ソース電圧を±１５Ｖ、ゲート線数１９２、ソース線数を３８０とし、ドライバＩＣはゲートドライバとソースドライバ、タイミングコントローラー等を１チップで賄うマルチドライバを用いた。
表１は、実施例１〜３および比較例１、２における、駆動波形の印加電圧の時間変化と、書き換え時間、消費電力、白明度及び黒明度を示す。駆動波形における各パルスの印加時間をステージとした。駆動波形は、前画像を参照しない場合で、白黒２値表示の場合の例で示した。よって、各駆動波形は白への書き換えの場合（白表示部）と黒への書き換えの場合（黒表示部）の２種類がある。
消費電力としては、表示画像としてソース配線に垂直な方向の１ドットごとの縞模様を用い、マルチドライバの電源電流と電源電圧を測定し、これらを乗算し、書き換え時間で除して電力（ｍＷ）を求めた。
表示特性としては、コニカミノルタ社の測色計であるＣＭ−７００ｄを用いて、全面白表示時の明度Ｌ＊（白明度）と全面黒表示時の明度Ｌ＊（黒明度）を測定した。
【００６１】
（実施例１）
実施例１では、図６に示す本発明の一実施形態に係る電気泳動表示装置の駆動波形を用いて書き換えを行った。書き込みパルスＰｆの印加時間の合計を１５５ｍｓ（ミリ秒）とし、ＤＣバランスを維持するために、反転パルスＰｒの印加時間の合計を１５５ｍｓとした。第１の明度改善パルスＰｉ１、第２の明度改善パルスＰｉ２の一度の印加時間を１５ｍｓとした結果、書き換え時間は６３５ｍｓとなった。またその際の消費電力は６．２ｍＷであり、白明度Ｌ＊は７１、黒明度Ｌ＊は２０であった。
【００６２】
（実施例２）
実施例２では、図８に示す本発明の一実施形態に係る電気泳動表示装置の駆動波形を用いて書き換えを行った。書き込みパルスＰｆの印加時間の合計を１５０ｍｓとし、ＤＣバランスを維持するために、反転パルスＰｒの印加時間の合計を１５０ｍｓとした。第１の明度改善パルスＰｉ１、第２の明度改善パルスＰｉ２の一度の印加時間を１０ｍｓとした結果、書き換え時間は４９０ｍｓとなった。またその際の消費電力は６．１ｍＷであり、白明度Ｌ＊は７１、黒明度Ｌ＊は１９であった。
【００６３】
（実施例３）
実施例３では、図９に示す本発明の一実施形態に係る電気泳動表示装置の駆動波形を用いて書き換えを行った。書き込みパルスＰｆの印加時間の合計を１５０ｍｓとし、ＤＣバランスを維持するために、反転パルスＰｒの印加時間の合計を１５０ｍｓとした。第１の明度改善パルスＰｉ１、第２の明度改善パルスＰｉ２の一度の印加時間を１５ｍｓとした結果、書き換え時間は６１５ｍｓとなった。またその際の消費電力は６．３ｍＷであり、白明度Ｌ＊は７２、黒明度Ｌ＊は１８であった。
【００６４】
（比較例１）
比較例１では、図１１に示す従来技術に係る電気泳動表示装置の駆動波形を用いて書き換えを行った。書き込みパルスＰｆの印加時間を１６０ｍｓとし、ＤＣバランスを維持するために、反転パルスＰｒの印加時間を１６０ｍｓとした。その結果、書き換え時間は３２０ｍｓとなった。またこの際の消費電力は１２ｍＷであり、駆動波形内で正負の電圧が同時に印加されているために消費電力は大きくなった。白明度Ｌ＊は６８、黒明度Ｌ＊は２３であった。
【００６５】
（比較例２）
比較例２では、図１２に示す従来技術に係る電気泳動表示装置の駆動波形を用いて書き換えを行った。書き込みパルスＰｆの印加時間を１８０ｍｓとし、ＤＣバランスを維持するために、反転パルスＰｒの印加時間を１８０ｍｓとした。その結果、書き換え時間は７２０ｍｓとなった。またその際の消費電力は６．３ｍＷであり、白明度Ｌ＊は６９、黒明度Ｌ＊は２１であった。
【００６６】
（評価結果）
評価判定は以下のようにした。書き換え時間については、６００ｍｓ以下を〇（Ｇｏｏｄ）、それを超えた場合を×（Ｂａｄ）とした。消費電力は、１０ｍＷ以下を〇（Ｇｏｏｄ）とし、それを超えた場合を×（Ｂａｄ）とした。表示特性は、白明度はＬ＊が７０以上を〇（Ｇｏｏｄ）、それ未満を×（Ｂａｄ）とし、黒表示はＬ＊が２０以下を〇（Ｇｏｏｄ）、それを超えるものを×（Ｂａｄ）とした。実施例１、２、３は、書き換え時間、消費電力、表示特性（白明度、黒明度）の全てが〇（Ｇｏｏｄ）であり、良好であった。これに対し、比較例１は、消費電力が×（Ｂａｄ）であり、また表示特性も×（Ｂａｄ）であった。比較例２は、書き換え時間が×（Ｂａｄ）であり、また表示特性も×（Ｂａｄ）であった。以上のように本発明の一実施形態に係る電気泳動表示装置の駆動波形を用いることにより、表示特性を高く維持したままで、消費電力の低減と、書き換え時間の短縮が可能であることが分かった。
【００６７】
【表１】
2020187170.tif 000003
【産業上の利用可能性】
【００６８】
本発明は、データ通信にて書き換え指示する電気泳動表示装置として有用である。特に、ＲＦＩＤ付き表示装置や、ＲＴＩに搭載する物流タグ等に有用である。
【符号の説明】
【００６９】
１      電気泳動表示装置
２      表示部
１０    コントローラ
１１    表示制御部
１２    メモリー
１３    電流・電圧制御部
１４    通信制御部
１５    アンテナ
１６    フレキシブルケーブル
２０    画素
２１    画素電極
２２    対向電極
２３    マイクロカップ
２４    画素スイッチング用トランジスタ
２５    シーリング材
２７    保持容量
２８    基板
２９    対向基板
３０    帯電粒子
３１    白粒子
３２    黒粒子
３４    表示溶媒
３５    表示媒体
４０    走査線
５０    データ線
６０    走査線駆動回路（駆動手段）
７０    データ線駆動回路（駆動手段）
８０    キャパシタ電位線
９０    共通電位線
Ｐｉ１  第１の明度改善パルス
Ｐｉ２  第２の明度改善パルス
Ｐｆ    書き込みパルス
Ｐｒ    反転パルス
Ｔｆ１  ＰｆとＰｉ１が同時に印加される期間
Ｔｒ２  ＰｒとＰｉ２が同時に印加される期間
Ｔ１２  Ｐｉ１とＰｉ２が同時に印加される期間
Ｔｆｒ  ＰｆとＰｒが同時に印加される期間
【図１】
2020187170.tif 000004
【図２】
2020187170.tif 000005
【図３】
2020187170.tif 000006
【図４】
2020187170.tif 000007
【図５】
2020187170.tif 000008
【図６】
2020187170.tif 000009
【図７】
2020187170.tif 000010
【図８】
2020187170.tif 000011
【図９】
2020187170.tif 000012
【図１０】
2020187170.tif 000013
【図１１】
2020187170.tif 000014
【図１２】
2020187170.tif 000015